(57)【要約】【課題】誤接続の防止ができると共に、接続作業を迅速かつ安定して行うことができるコネクタを提供する。【解決手段】制御装置側に接続されるリード線ｈ〜ｏにはビニル絶縁被覆付丸形端子２８を圧着し、開閉器の制御線に接続されるリード線ｐ，　ｑには絶縁突合形接続子２９を圧着した。即ち、各リード線ｈ〜ｑの接続先によって当該各リード線ｈ〜ｑの端子形状を変えた。また、各リード線ｈ〜ｑの被覆には、ビニル絶縁被覆付丸形端子２８及び絶縁突合形接続子２９の接続先を表示した。【選択図】　　　　図１
2004031349.tif 000002
【特許請求の範囲】
【請求項１】
開閉器を制御する地絡継電器側へ接続される複数の制御装置接続側リード線及び開閉器側へ接続される複数の開閉器接続側リード線の一端がそれぞれ接続されると共に各リード線の他端にはそれぞれ接続端子が取り付けられているコネクタにおいて、
前記制御装置接続側リード線と開閉器接続側リード線とではそれぞれ接続端子の形態を異ならせ、
前記各リード線のうち制御装置接続側リード線の接続端子は丸形端子とし、同じく開閉器接続側リード線の接続端子は突合形接続子とし、
各リード線にはそれぞれ接続端子の接続先を表示するようにしたコネクタ。
【請求項２】
開閉器を制御する地絡継電器側へ接続される複数の制御装置接続側リード線及び開閉器側へ接続される複数の開閉器接続側リード線の一端がそれぞれ接続されると共に各リード線の他端にはそれぞれ接続端子が取り付けられているリセプタクルコネクタと、非地絡特性試験時には前記リセプタクルコネクタに接続されると共に地絡試験時には前記リセプタクルコネクタから外されるプラグコネクタとを備えたコネクタにおいて、
前記リセプタクルコネクタとプラグコネクタとを紐により連結すると共に、前記制御装置接続側リード線と開閉器接続側リード線とではそれぞれ接続端子の形態を異ならせ、
前記各リード線のうち制御装置接続側リード線の接続端子は丸形端子とし、同じく開閉器接続側リード線の接続端子は突合形接続子とし、
各リード線にはそれぞれ接続端子の接続先を表示するようにしたコネクタ。
【発明の詳細な説明】
【０００１】
【発明の属する技術分野】
本発明は、開閉器と当該開閉器の制御部の一部として使用される地絡継電器とにそれぞれ接続されるコネクタに関するものである。
【０００２】
【従来の技術】
コネクタ本体と複数のリード線とからなるコネクタにおいて、前記リード線の一端はコネクタ本体に接続され、同リード線の他端には接続端子が圧着されている。前記接続端子は電気機器の端子台等に接続される。前記リード線の接続端子近傍には、その接続先が表示されたマークチューブが装着されることによって、接続端子の端子台への誤接続の防止が図られている。
【０００３】
【発明が解決しようとする課題】
ところが、前記複数の同色リード線に対してマークチューブは全て同色、同寸法のものが使用されていると共に、リード線の他端に圧着される接続端子も全て同種類同形状のものが使用されている。このため、複数の同色リード線のコネクタ部及び端子台への接続先を一目で判別することが困難であり、リード線のコネクタ部への接続作業時及び接続端子の端子台への接続作業時における誤接続又は誤表示の原因となっている。
【０００４】
本発明は上記問題点を解決するためになされたものであって、その目的は、誤接続の防止ができると共に、安定した品質を保つことができるコネクタを提供することにある。
【０００５】
【課題を解決するための手段】
請求項１に記載の発明は、開閉器を制御する地絡継電器側へ接続される複数の制御装置接続側リード線及び開閉器側へ接続される複数の開閉器接続側リード線の一端がそれぞれ接続されると共に各リード線の他端にはそれぞれ接続端子が取り付けられているコネクタにおいて、前記制御装置接続側リード線と開閉器接続側リード線とではそれぞれ接続端子の形態を異ならせ、前記各リード線のうち制御装置接続側リード線の接続端子は丸形端子とし、同じく開閉器接続側リード線の接続端子は突合形接続子とし、各リード線にはそれぞれ接続端子の接続先を表示するようにしたことを要旨とする。
【０００６】
請求項２に記載の発明は、開閉器を制御する地絡継電器側へ接続される複数の制御装置接続側リード線及び開閉器側へ接続される複数の開閉器接続側リード線の一端がそれぞれ接続されると共に各リード線の他端にはそれぞれ接続端子が取り付けられているリセプタクルコネクタと、非地絡特性試験時には前記リセプタクルコネクタに接続されると共に地絡試験時には前記リセプタクルコネクタから外されるプラグコネクタとを備えたコネクタにおいて、前記リセプタクルコネクタとプラグコネクタとを紐により連結すると共に、前記制御装置接続側リード線と開閉器接続側リード線とではそれぞれ接続端子の形態を異ならせ、前記各リード線のうち制御装置接続側リード線の接続端子は丸形端子とし、同じく開閉器接続側リード線の接続端子は突合形接続子とし、各リード線にはそれぞれ接続端子の接続先を表示するようにしたことを要旨とする。
【０００７】
【発明の実施の形態】
以下、本発明を開閉器の制御部の一部として使用される地絡継電器に具体化した一実施形態を図１〜図４に従って説明する。
【０００８】
図４に示すように、電柱１０の上部には腕金１１が設けられており、同腕金１１には開閉器１２が固定されている。前記電柱１０の下部には収容ケース１３が設けられており、同収容ケース１３内には地絡継電器１４が収容固定されている。前記地絡継電器１４は制御線１５を介して開閉器１２に接続されており、同制御線１５は後述するリード線ａ〜ｇ（図４においては図示略）によって構成されている。また、地絡特性試験時において、前記地絡継電器１４には地絡特性試験器１６が接続ケーブル１７を介して接続されるようになっている。
【０００９】
図３に示すように、前記地絡継電器１４の下部には端子台１８が設けられており、同端子台１８には端子Ａ〜Ｋが設けられている。前記接続ケーブル１７は地絡継電器１４内に備えられたコネクタ１９を介して端子台１８に接続されるようになっている。
【００１０】
図１及び図２に示すように、前記コネクタ１９はリセプタクルコネクタ２０、プラグコネクタ２１及びリード線２２から構成されており、同リセプタクルコネクタ２０とプラグコネクタ２１とはコネクタ本体を構成している。前記リセプタクルコネクタ２０の一端外周には雌ネジ部２０Ａが形成されており、同リセプタクルコネクタ２０の内周には大きさの異なる複数の凹部２０Ｂが形成されている。また、前記プラグコネクタ２１の一端外周には前記凹部２０Ｂに対応した複数の凸部２１Ａが形成されており、同凸部２１Ａの外周には円環状の接続ナット２１Ｂが回動可能に装着されている。
【００１１】
前記凹部２０Ｂと凸部２１Ａとは、それらを互いにはまり合う位置に合わせることによって、コンタクトピンナンバーを一致させたリセプタクル端子２０Ｃとプラグコネクタ２１の複数のプラグ端子２１Ｃとの位置が合致するように形成されている。前記リセプタクルコネクタ２０とプラグコネクタ２１との接続は、前記凹部２０Ｂと凸部２１Ａとの位置を互いにはまり合う位置に合わせてプラグコネクタ２１をリセプタクルコネクタ２０に挿入し、接続ナット２１Ｂを雌ネジ部２０Ａに締め付けることによって行われる。前記プラグ端子２１Ｃは接続ナット２１Ｂの締め付けに伴ってリセプタクル端子２０Ｃに圧入接続される。
【００１２】
一方、前記リード線２２はリード線ｈ〜ｑによって構成されている。前記リード線ｈ〜ｑの一端はそれぞれリセプタクルコネクタ２０に接続されており、リセプタクルコネクタ２０の口出部２３において絶縁被覆２４が装着されることによって一束にまとめられている。
【００１３】
前記リード線ｈ〜ｑは絶縁被覆２４を介して板状の第一固定部材２５及び第二固定部材２６に挟持されることによって口出部２３に固定されている。このため、前記リード線ｈ〜ｑの上下左右方向の動きがリセプタクルコネクタ２０内部のリード線ｈ〜ｑの接続箇所（図示略）に伝達されにくくなっている。前記リード線ｈ〜ｑに加わる第一固定部材２５及び第二固定部材２６による挟持力はボルト２７の締め付け加減で調節することができる。
【００１４】
また、前記リード線ｈ〜ｏの他端にはビニル絶縁被覆付丸形端子２８が圧着されており、リード線ｐ，　ｑの他端には絶縁突合形接続子２９が圧着されている。前記ビニル絶縁被覆付丸形端子２８は、その先端に形成された丸形の接続部２８ａと基端に形成された円筒形の圧着部（図示略）とから構成されている。
【００１５】
前記接続部２８ａには挿通孔２８ｂが形成されており、ビニル絶縁被覆付丸形端子２８は挿通孔２８ｂにボルトを挿通して締め付けることによって端子台１８に接続される。前記圧着部にはリード線ｈ〜ｏの芯線が挿入され、同圧着部を専用の圧着工具によってかしめることによってリード線ｈ〜ｏとビニル絶縁被覆付丸形端子２８とが接続される。
【００１６】
前記圧着部２８ｂの周囲は絶縁被覆２８ｃで覆われており、ビニル絶縁被覆付丸形端子２８とリード線ｈ〜ｏの芯線との接続箇所における絶縁を確実なものとしている。前記絶縁突合形接続子２９は、雌型の接続子の周囲が絶縁被覆２９ａで覆われている構成となっており、リード線の芯線を挿入してかしめることにより、両リード線が接続される。
【００１７】
さらに、前記ビニル絶縁被覆付丸形端子２８及び絶縁突合形接続子２９の近傍には、リード線被覆と同色であると共に、端子台１８への接続先を示す記号が印刷されたマークチューブ３０が装着されている。
【００１８】
前記マークチューブ３０はゴム製の熱収縮チューブであってリード線ｈ〜ｑの線径よりも若干大きなものが使用される。前記マークチューブ３０はリード線ｈ〜ｑへの装着後、熱風等を加えることによって収縮し、リード線ｈ〜ｑの外周に密着する。尚、前記マークチューブ３０は前記ビニル絶縁被覆付丸形端子２８及び絶縁突合形接続子２９をリード線ｈ〜ｑに圧着する前に装着する。
【００１９】
同色被覆のリード線が複数の場合には、異なる長さのマークチューブ３０が装着されている。このため、前記複数の同色被覆のリード線の接続先を視覚的に区別することができ、同リード線の接続先の区別が簡単である。また、図２に示すように、前記リード線ｈ〜ｑには接続先のリセプタクルコネクタ２０のリセプタクル端子２０Ｃのコンタクトピンナンバーと同じ被覆表示ナンバーが印刷されており、同リード線ｈ〜ｑのリセプタクルコネクタ２０への接続時における誤接続防止が図られている。
【００２０】
図３に示すように、前記制御線１５を構成するリード線ａ〜ｇの内、リード線ａ〜ｅは端子台１８の端子Ａ、端子Ｂ、端子Ｇ、端子Ｈ、端子Ｊにそれぞれ接続される。また、前記リード線２２を構成するリード線ｈ〜ｑの端子の内、リード線ｈ〜ｏは端子Ｃ〜端子Ｉ及び端子Ｋにそれぞれ接続される。そして、前記リード線２２のリード線ｐ，　ｑと制御線１５のリード線ｆ，　ｇとはそれぞれ互いにかしめ接続されている。また、端子Ｅ及び端子Ｆには制御電源線ｒ，　ｓがそれぞれ締付接続されている。
【００２１】
前述のように、リード線２２のリード線ｈ〜ｑの接続先は端子台１８と制御線１５とに分かれている。そして、前記端子台１８に接続されるリード線ｈ〜ｏにはそれぞれビニル絶縁被覆付丸形端子２８が圧着され、制御線１５のリード線ｆ，　ｇに接続されるリード線ｐ，　ｑにはそれぞれ絶縁突合形接続子２９が圧着されている。即ち、接続先によってリード線の端子形状を変えることでその接続先が一目で判別できると共に、誤接続の防止が図られている。
【００２２】
通常（非地絡特性試験時）、前記コネクタ１９は未使用であるため、リセプタクルコネクタ２０にはプラグコネクタ２１が接続されている。地絡特性試験を実施する場合には、前記プラグコネクタ２１を外して地絡特性試験器１６の接続ケーブル１７先端の連結プラグコネクタ（図示略）をリセプタクルコネクタ２０に接続する。即ち、前記プラグコネクタ２１は接続ケーブル１７の連結プラグコネクタと互換性を有するものが使用されている。
【００２３】
前記リセプタクルコネクタ２０及びプラグコネクタ２１の着脱作業は、図１に示すように、同リセプタクルコネクタ２０及びプラグコネクタ２１の表面に表示してある白色目印３１を合わせることによって簡単に接続できる。また、前記リセプタクルコネクタ２０とプラグコネクタ２１とは黒色ナイロン製の紐３２によって連結されており、同紐３２によって着脱作業時におけるプラグコネクタ２１の紛失防止が図られている。同紐３２の長さはリセプタクルコネクタ２０とプラグコネクタ２１の着脱作業が容易である長さに設定されており、本実施形態においては１８ｃｍに設定している。
【００２４】
従って、本実施形態によれば以下の効果を得ることができる。
・制御装置接続側リード線（ｈ〜ｏ）にはビニル絶縁被覆付丸形端子２８が圧着されており、開閉器接続側リード線（ｐ，　ｑ）には絶縁突合形接続子２９が圧着されている。即ち、前記リード線ｈ〜ｑの接続先によってリード線の端子形状を変えている。このため、リード線ｈ〜ｑの接続先が一目で判別でき、同リード線ｈ〜ｑの制御線１５及び端子台１８への誤結線防止ができる。
【００２５】
・前記リード線ｈ〜ｑの被覆には、それぞれ接続されるコンタクトピンナンバーと同じ被覆表示ナンバーが印刷されていると共に、端子台１８への接続先を記号表示したリード線被覆と同色のマークチューブ３０が装着されている。また、同色被覆が複数の場合には前記マークチューブ３０の長さを変えることによって接続先を区別するようになっている。このため、コネクタ１９の組立作業時及びリード線ｈ〜ｑの端子台１８への接続作業時において、誤接続及び誤表示を容易に防止することができる。
【００２６】
・前記リセプタクルコネクタ２０とプラグコネクタ２１とはロープ２７によって連結されている。このため、着脱作業時におけるプラグコネクタ２１の紛失防止を図ることができる。
【００２７】
・リセプタクルコネクタ２０及びプラグコネクタ２１の外周面に凹部２０Ｂと凸部２１Ａとの位置決め用の白色目印３１が設けられている。このため、前記リセプタクルコネクタ２０とプラグコネクタ２１とは、互いの白色目印３１を合わせることによって簡単に接続することができる。また、位置決め用の白色目印３１は、地絡特性試験器１６の接続ケーブル１７の端部に設けたプラグコネクタ（図示略）にも設けられており、各リセプタクル端子と誤接続されないように、かつ迅速に接続可能としている。
【００２８】
尚、上記実施形態は以下のように変更して実施してもよい。
・本実施形態においては、前記リード線ａ〜ｓにビニル絶縁被覆付丸形端子２８又は絶縁突合形接続子２９を取り付けたが、例えば、鉤型端子等、別の形状の接続端子を使用しても良い。このようにしても、前記リード線ａ〜ｓを端子台１８に接続することができる。
【００２９】
・本実施形態においては、ビニル絶縁被覆付丸形端子２８及び絶縁突合形接続子２９をリード線圧着したが、はんだ等によって接続してもよい。このようにしても、接続端子をリード線に取り付けることができる。
【００３０】
・本実施形態においては、リード線の端子台への接続先をマークチューブ３０に印刷し、それをリード線に装着することによって表示したが、接続先をシールラベル等に印刷し、それをリード線に貼り付けることによって表示してもよい。このようにしても、リード線の接続先を明確にすることができる。
【００３１】
・本実施形態においては、リード線ｈ〜ｑの線色をそれぞれ変えることによってコネクタ１９の組立時における誤接続の防止を図ったが、前記色に加えて線や点又はそれらを組み合わせた模様等をリード線ｈ〜ｑの少なくとも一部分に表示することによってもよい。このようにすれば、色と模様を組み合わせることによってより多数のリード線を区別することができる。
【００３２】
・本実施形態におけるコネクタ接続時の位置決め用目印３１は白色としたが、コネクタ１９自身の色と区別できれば任意に変更してもよい。このようにしても、リセプタクルコネクタ２０とプラグコネクタ２１との接続作業時に位置決めすることができる。
【００３３】
・本実施形態におけるコネクタ接続時の位置決めは、リセプタクルコネクタ２０及びプラグコネクタ２１の外周に設けた白色目印３１を合わせることによって行ったが、前記白色目印３１の代わりにリセプタクルコネクタ２０及びプラグコネクタ２１の外周に位置決め用の突起等を形成し、それを合わせることによって位置決めを行ってもよい。このようにしても、リセプタクルコネクタ２０とプラグコネクタ２１との接続時において、位置決めすることができ、コネクタ接続作業が簡単となる。
【００３４】
・本実施形態においては、黒色ナイロン製の紐３２を用いてリセプタクルコネクタ２０とプラグコネクタ２１とを連結したが、前記紐３２の色は任意に変更してもよい。また、前記ロープ３１の素材は絶縁性を有していれば任意に変更してもよい。このようにしても、リセプタクルコネクタ２０とプラグコネクタ２１とを連結し、リセプタクルコネクタ２０とプラグコネクタ２１との着脱作業時におけるプラグコネクタ２１の紛失防止を図ることができる。
【００３５】
・本実施形態においては、前記紐３２の長さを１８ｃｍに設定したが、リセプタクルコネクタ２０とプラグコネクタ２１との着脱作業が容易である長さであれば任意に変更してもよい。このようにしても、プラグコネクタ２１の紛失防止を図ることができる。
【００３６】
次に、前記実施形態から把握できる請求項記載発明以外の技術的思想について、以下にそれらの効果と共に記載する。
・前記リード線に接続先のリセプタクル端子のコンタクトピンナンバーに対応した被覆表示ナンバーを印刷した請求項１又は請求項２に記載のコネクタ。このようにすれば、コネクタの組立作業時における誤接続を防止することができる。
【００３７】
・前記リード線に接続先の端子台の端子ナンバーを印刷したマークチューブを装着した請求項１又は請求項２に記載のコネクタ。このようにすれば、端子台への誤接続を防止することができる。
【００３８】
・複数の同色リード線には、それぞれ異なる長さのマークチューブを装着した請求項１又は請求項２に記載のコネクタ。このようにしても、誤接続又は誤表示を防止することができる。
【００３９】
【発明の効果】
本発明によれば、誤接続の防止ができると共に、接続作業を迅速かつ安定して行うことができる。
【図面の簡単な説明】
【図１】（ａ）は、一実施形態におけるコネクタの正面図。
（ｂ）は、図１（ａ）の平面図。
【図２】（ａ）は、図１（ａ）における１−１線矢視図。
（ｂ）は、図１（ｂ）における２−２線矢視図。
（ｃ）は、リード線における被覆表示ナンバーの印刷例を示す要部拡大図。
【図３】一実施形態におけるコネクタの使用状況を示す図。
【図４】電柱における継電器の取付状態を示す説明図。
【符号の説明】
１２…開閉器、１４…地絡継電器、１５…制御線（接続端子の接続先）、
１８…端子台（接続端子の接続先）、１９…コネクタ、
２０…コネクタを構成するリセプタクルコネクタ、
２０Ｃ…リセプタクル端子（コンタクトピン）、
２１…コネクタを構成するプラグコネクタ、
２２…リード線、２３…口出部、２４…絶縁被覆、２５…マークチューブ、
２８…ビニル絶縁被覆付丸形端子（接続端子、丸形端子）、
２９…絶縁突合形窓付接続子（接続端子、突合形接続子）、３２…紐、
ｈ〜ｏ…制御装置接続側リード線、ｐ，ｑ…開閉器接続側リード線、
ｈ〜ｑ…リード線。
【図１】
2004031349.tif 000003
【図２】
2004031349.tif 000004
【図３】
2004031349.tif 000005
【図４】
2004031349.tif 000006